Podtech/llm-jp-corpus-v4-ja_patent huggingface dataset:
【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
コンピュータ式ＮＣ工作機械での切削工具の位置を検出するための第１センサと、
前記切削工具の位置を検出するために前記第１センサを所定位置まで移動するためのアームと、
前記アームを所定の角度範囲で枢動するための、前記アームと組み合わせられた歯車アッセンブリと、
前記歯車アッセンブリに駆動力を供給するための駆動モータと、
前記アームの枢動角度を前記歯車アッセンブリと協働して制限するため、前記ワームホイールの回転を制限するためのストッパと、
前記歯車アッセンブリ、ストッパ、及び前記駆動モータを収容するためのハウジングとを含み、
前記歯車アッセンブリは、前記アームを前記ストッパに向かって移動させる弾性力を加える弾性部材を含むことを特徴とするコンピュータ式ＮＣ工作機械用工具補正装置。
【請求項２】
前記歯車アッセンブリは、前記駆動モータに取り付けられた平歯車と係合するアイドル歯車と、前記アームと係合することによって前記アームを枢動するためのワームホイールと、このワームホイールを回転するためのワームと、一端に追加平歯車を持つワームシャフトとを含み、前記ワームは前記ワームシャフトに摺動自在に取り付けられている、請求項１に記載のコンピュータ式ＮＣ工作機械用工具補正装置。
【請求項３】
前記ワームシャフトの一端からその他端に向かって所定距離だけ離間された位置にステージ状部分が形成されており、前記ワームシャフトの前記他端にはフランジが形成されている、請求項２に記載のコンピュータ式ＮＣ工作機械用工具補正装置。
【請求項４】
前記ワームは前記ステージ状部分と前記ワームシャフトの前記フランジとの間に摺動自在に取り付けられており、前記ワームを弾性的に支持するための弾性部材が前記ワームと前記ワームシャフトの前記フランジとの間に前記ワームの摺動を制限するように配置されている、請求項３に記載のコンピュータ式ＮＣ工作機械用工具補正装置。
【請求項５】
前記ワームホイールとともに枢動するカムと、第２センサ及び第３センサとが前記ハウジング内に配置されており、前記第２センサ及び前記第３センサは前記ワームホイールと近接して位置決めされており且つ互いに関して所定距離だけ離間されており、前記第２センサ及び前記第３センサは、前記ワームホイールの枢動角度を検出するように前記カムの移動を検出する、請求項４に記載のコンピュータ式ＮＣ工作機械用工具補正装置。
【請求項６】
前記第２センサ及び前記第３センサは、前記カムの移動を検出し、次いで、前記カムが標準位置を通過したとき、前記駆動モータの作動を停止するための信号をコンピュータ式ＮＣ工作機械の制御部に供給する、請求項５に記載のコンピュータ式ＮＣ工作機械用工具補正装置。
【請求項７】
前記弾性部材は、駆動モータの作動が停止した後、前記弾性力を加えるよう配置されている、請求項１乃至６のいずれか１項に記載のコンピュータ式ＮＣ工作機械用工具補正装置。
【請求項８】
前記弾性部材は、コイルばねからなる、請求項１乃至７のいずれか１項に記載のコンピュータ式ＮＣ工作機械用工具補正装置。
【請求項９】
前記弾性部材は、圧縮ばねからなる、請求項１乃至８のいずれか１項に記載のコンピュータ式ＮＣ工作機械用工具補正装置。
【請求項１０】
前記圧縮ばねは、前記アームの前記回転が前記ストッパによって制限されている間であって、駆動モータが駆動されるとき、圧縮されるよう配置されている、請求項９に記載のコンピュータ式ＮＣ工作機械用工具補正装置。
【手続補正２】
【補正対象書類名】明細書
【補正対象項目名】００３７
【補正方法】変更
【補正の内容】
【００３７】
歯車アッセンブリ１２０は、駆動モータ１３０に取り付けられた平歯車１３２と係合するアイドル歯車１２２と、アーム１１０との係合によりアーム１１０を枢動するためのワームホイール１２４と、このワームホイール１２４を回転するためのワーム１２６と、一端に追加平歯車１２８ａを備えたワームシャフト１２８とを含む。このとき、ワーム１２６はワームシャフト１２８に摺動自在に取り付けられている。
【手続補正３】
【補正対象書類名】明細書
【補正対象項目名】００３８
【補正方法】変更
【補正の内容】
【００３８】
駆動モータ１３０の回転力を減少するためのアイドル歯車１２２が歯車アッセンブリ１２０のワームシャフト１２８に取り付けられた追加平歯車１２８ａと、駆動モータ１３０の回転シャフトの先端に取り付けられた平歯車１３２との間に配置されている。
【手続補正４】
【補正対象書類名】明細書
【補正対象項目名】００３９
【補正方法】変更
【補正の内容】
【００３９】
ワームシャフト１２８の両端は、ハウジング１４０の内面に設けられたベアリング１２８ｂ及び１２８ｃによって支持されている。追加平歯車１２８ａは、ワームシャフト１２８の一端に取り付けられており、駆動モータ１３０からアイドル歯車１２２を介して回転力を受け取るため、アイドル歯車１２２と係合している。
【手続補正５】
【補正対象書類名】明細書
【補正対象項目名】００６６
【補正方法】変更
【補正の内容】
【００６６】
駆動モータ１３０が作動を停止すると、弾性ばね１６０の弾性力がワーム１２６に矢印方向に沿って加えられる（図４参照）。このとき、ワーム１２６によって、ワームホイール１２４に回転力が時計廻り方向に加えられる。駆動モータ１３０は作動していないけれども、アーム１１０がストッパ１９４と接触し、これによって第１センサ２２ａを検出位置に固定する。
【手続補正６】
【補正対象書類名】図面
【補正対象項目名】図５
【補正方法】変更
【補正の内容】
【図５】
2006507952.tif 000001
【手続補正書】
【提出日】平成18年11月2日(2006.11.2)
【手続補正１】
【補正対象書類名】特許請求の範囲
【補正対象項目名】全文
【補正方法】変更
【補正の内容】
【特許請求の範囲】
【請求項１】
薬剤を吸入により、又は経鼻的に配送するための装置であって、
ａ）上流開口部及び下流開口部を有するチャンバと
ｂ）前記上流開口部と前記下流開口部との間における前記チャンバの領域で薬剤蒸気を生成する薬剤供給ユニットと、
ｃ）エアロゾルを形成すべく前記薬剤蒸気を凝縮するのに有効な選択された流量又は流量範囲に、前記領域を流通するガス流を制限する、前記薬剤供給ユニットの上流に設けられたガス流制御弁と、
ｄ）前記薬剤供給ユニットをして前記薬剤蒸気を生成させる作動スイッチと
を備える装置。
【請求項２】
前記薬剤供給ユニットが前記チャンバ内に収容されている、請求項１に記載の装置。
【請求項３】
前記薬剤供給ユニットが、
ｉ）基板と、
ii）前記基板と関連される薬剤と、
iii）前記基板を加熱する熱源と
を備える、請求項１に記載の装置。
【請求項４】
前記薬剤のフィルムが前記基板にコーティングされており、前記フィルムの厚さが約０．０１μｍ〜１０μｍである、請求項３に記載の装置。
【請求項５】
前記薬剤蒸気の生成が、前記選択された流量又は流量範囲に達した時に開始されるようになっている、請求項１に記載の装置。
【請求項６】
前記薬剤蒸気の生成が、前記選択された流量又は流量範囲に達する前に開始されるようになっている、請求項１に記載の装置。
【請求項７】
前記薬剤蒸気の生成が、前記選択された流量又は流量範囲に達する後に開始されるようになっている、請求項１に記載の装置。
【請求項８】
前記ガス流制御弁が能動的なガス制御要素を備える、請求項１に記載の装置。
【請求項９】
前記ガス流制御弁がオリフィスである、請求項１に記載の装置。
【請求項１０】
前記作動スイッチが、前記チャンバを流通するガス流の熱散逸作用に応答するサーミスタを備える、請求項１に記載の装置。
【請求項１１】
前記サーミスタを加熱するユーザ作動式スイッチをさらに備える、請求項１０に記載の装置。
【請求項１２】
前記薬剤供給ユニットの下流で前記チャンバと連通するバイパス弁をさらに備える、請求項１に記載の装置。
【請求項１３】
前記バイパス弁がオリフィスである、請求項１２に記載の装置。
【請求項１４】
前記薬剤供給ユニットの下流で前記チャンバと連通するバイパスチャネルをさらに備える、請求項１に記載の装置。
【請求項１５】
ガス流センサをさらに備える、請求項１に記載の装置。
【請求項１６】
薬剤を吸入により、又は経鼻的に配送するための装置であって、
ａ）上流端及び下流端を有するチャンバと
ｂ）前記上流端と前記下流端との間における前記チャンバの領域で薬剤蒸気を生成する薬剤供給ユニットと、
ｃ）エアロゾルを形成すべく前記薬剤蒸気を凝縮するのに有効な選択された流量又は流量範囲に、前記領域を流通するガス流を制限する、前記領域の上流で前記チャンバと連通する上流オリフィスと、
ｄ）前記薬剤供給ユニットをして前記薬剤蒸気を生成させる作動スイッチと
を備える装置。
【請求項１７】
前記薬剤供給ユニットが前記チャンバ内に収容されている、請求項１６に記載の装置。
【請求項１８】
前記薬剤供給ユニットが、
ｉ）基板と、
ii）前記基板と関連される薬剤と、
iii）前記基板を加熱する熱源と
を備える、請求項１６に記載の装置。
【請求項１９】
前記薬剤のフィルムが前記基板にコーティングされており、前記フィルムの厚さが約０．０１μｍ〜１０μｍである、請求項１８に記載の装置。
【請求項２０】
前記薬剤蒸気の生成が、前記選択された流量又は流量範囲に達した時に開始されるようになっている、請求項１６に記載の装置。
【請求項２１】
前記作動スイッチが、前記チャンバを流通するガス流の熱散逸作用に応答するサーミスタを備える、請求項１６に記載の装置。
【請求項２２】
前記サーミスタを加熱するユーザ作動式スイッチをさらに備える、請求項２１に記載の装置。
【請求項２３】
前記薬剤供給ユニットの下流で前記チャンバと連通するバイパスオリフィスをさらに備える、請求項１６に記載の装置。
【請求項２４】
前記薬剤供給ユニットの下流で前記チャンバと連通するバイパスチャネルをさらに備える、請求項１６に記載の装置。
【請求項２５】
ガス流センサをさらに備える、請求項１に記載の装置。
【手続補正書】
【提出日】平成18年9月22日(2006.9.22)
【手続補正１】
【補正対象書類名】特許請求の範囲
【補正対象項目名】請求項５０
【補正方法】変更
【補正の内容】
【請求項５０】
加硫ゴム材料が少なくとも１種の合成または天然のエラストマー重合体を含む、請求項１に記載の方法。
【手続補正書】
【提出日】平成18年10月13日(2006.10.13)
【手続補正１】
【補正対象書類名】特許請求の範囲
【補正対象項目名】請求項１
【補正方法】変更
【補正の内容】
【請求項１】
単位気泡サイズが２４．１０〜２４．４０Åの範囲で、シリカ対アルミナの嵩比（ＳＡＲ）が１２を超え、ＢＥＴ法及びＡＳＴＭ  Ｄ４３６５−９５で測定した表面積が少なくとも８５０ｍ２／ｇであり、かつ０．０３のｐ／ｐｏ値で窒素吸収を有するホウジャサイト構造のゼオライトを含有する担体上に、任意の金属水素化成分を担持してなる水素化分解用触媒組成物。
【手続補正書】
【提出日】平成18年5月12日(2006.5.12)
【手続補正１】
【補正対象書類名】特許請求の範囲
【補正対象項目名】全文
【補正方法】変更
【補正の内容】
【特許請求の範囲】
【請求項１】
ブレーキシステム（１０）に使用するための液圧ブレーキブースタ（１２）であって、
ハウジング（１００）を有し、前記ハウジングは、第２のボア（１０４）から分離された第１のボア（１０２）を備え、前記第１のボア（１０２）はパワーピストン（５０）を保持し、前記第２のボア（１０４）はコントロールバルブ（６０）を保持し、入力部材（３０）が、前記パワーピストン（５０）に連結され且つレバー装置（２００）により前記コントロールバルブ（６０）にリンク式に連結され、
前記レバー装置（２００）は、入力部材（３０）から伝達される第１の入力に応答して、加圧流体を流量調整して前記ハウジング（１００）内の作動チャンバ（８０）に供給するように前記コントロールバルブ（６０）を動かし、前記作動チャンバ（８０）内の加圧流体により、前記第１のボア（１０２）内の流体を加圧し、前記パワーピストン（５０）に作用する液圧力を発生させ、この液圧力が、前記ブレーキシステム（１０）の車輪ブレーキ（１４、１４′、１８、１８′）に伝達されて対応するブレーキ動作を行い、
前記入力部材（３０）には、円筒形本体（３００）と、第１の端部（３１２）のヘッド（３１０）並びにこのヘッド（３１０）と第２の端部（３１４）のネジ山との間に設けられた軸線方向スロット（３１３）を有するシャフト（３０２）と、前記シャフト（３０２）上に配置され且つ半径方向開口（３５）を有するブラケット（３２）と、このブラケット（３２）と前記円筒形本体（３００）との間に配置され且つ前記円筒形本体（３００）と螺合された前記ネジ山の上に配置されたバネ（３０４）と、が設けられ、このバネ（３０４）は、前記ブラケット（３２）を前記ヘッド（３１０）に係合させるように付勢し、
前記レバー装置（２００）は、
第１のピン（２０６）により前記ハウジング（１００）内に枢動自在に固定された第１の端部（２０４）、及び、前記ブラケット（３２）の半径方向開口（３５）内に配置された第２の端部（２０８）を有する第１のレバー（２０２）と、
第２の端部（２２６）及び第１の端部（２２４）を有し、この第１の端部（２２４）のスロット（２２５）を前記第１のピン（２０６）が貫通する第２のレバー（２２０）と、
前記レバー装置（２００）の支点（２３０）を構成するために、前記第１のレバー（２０２）及び第２のレバー（２２０）を貫いて延びる第２のピン（２２８）と、
前記パワーピストン（５０）と前記ヘッド（３１０）との間に配置された第２のバネ（３０６）と、を有し、この第２のバネ（３０６）の戻りバネ力が前記ブラケット（３２）に付与され、前記支点（２３０）を介して伝達され、前記第２のレバー（２２０）の第１の端部（２２４）を前記コントロールバルブ（６０）に係合させると共に、前記第２のレバー（２２０）の第２の端部（２２６）を前記パワーピストン（５０）に係合させ、
前記第１の入力が、前記ブラケット（３２）を介して前記第１のレバー（２０２）の第２の端部（２０８）に付与されることにより、この第２の端部（２０８）が前記第１のピン（２０６）を中心に枢動し、作動力を前記支点（２３０）を介して前記第２のレバー（２２０）に伝達してその第１の端部(２２４)を動かし、前記コントロールバルブ（６０）を作動させ、それにより、流量調整された加圧流体が、前記ブレーキ動作を行うために前記作動チャンバ（８０）内に通じ、
前記レバー装置（２００）は、前記第１のピン（２０６）と前記第１のレバー（２０２）の第２の端部（２０８）との間の距離により定められる第１の長さと、前記第１のピン（２０６）と前記第２のレバー（２２０）の第２の端部（２２６）との間の距離により定められる第２の長さと、を有し、前記円筒形本体（３００）及び前記パワーピストン（５０）の軸線方向運動が、前記第２の長さに対する前記第１の長さの比によって定められ、その結果、前記液圧力が前記入力に比例することを特徴とする液圧ブレーキブースタ。
【請求項２】
前記第２のレバー（２２０）の第１の端部（２２４）は、カム面（２３２）を有し、このカム面（２３２）は、前記第１のレバー（２０２）が前記第１のピン（２０６）を中心に枢動するとき、前記コントロールバルブ（６０）と前記パワーピストン（５０）との間の作動力を平衡させるように前記コントロールバルブ（６０）に係合する、請求項１に記載のブレーキブースタ。
【請求項３】
前記パワーピストン（５０）は、前記作動チャンバ（８０）内へ延びる軸線方向突出部（１５２）を有し、
前記ブラケット（３２）は、スロット（３１７、３１７′）を有し、このスロットは、前記半径方向開口（３５）が前記第１のレバー（２０２）と整列するように前記軸線方向突出部（１５２）に係合する、請求項２に記載のブレーキブースタ。
【請求項４】
前記第２のレバー（２２０）の第１の端部（２２４）に付与される第２の入力を有し、この第２の入力は、前記コントロールバルブ（６０）を作動させて、流量調整された加圧流体を前記作動チャンバ（８０）に供給し、前記液圧力を発生させ、前記第１のボア（１０２）内の流体を加圧して，独立的なブレーキ動作を行い、
前記円筒形本体（３００）は、リップ（２９９）を有し、このリップ（２９９）は、前記作動チャンバ（８０）内の前記加圧流体によって前記円筒形本体（３００）に力が作用することにより、前記ハウジング（１００）に係合し、前記円筒形本体（３００）を前記ハウジング（１００）内に保持する、請求項１に記載のブレーキブースタ。
【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
乗物の車輪の空気タイヤにおける空気圧又はその圧変動をモニターし、無線で送信する装置を操作する方法であり、この装置は以下車輪電子機器と称し、この方法においては、以下の各工程を具備するものであり、
−  空気タイヤにおける圧力を計測し、
−  前記計測から電子圧力信号を誘導し、
−  圧力又は圧力変動に関する情報を含む情報信号を乗物にまたはその中に設けられた受信機に送信し、
さらに以下の工程を含むものであり、
−  車輪電子機器の外部から車輪電子機器へ無線により第１の制御信号を送信し、
−  第１の制御信号により車輪電子機器を第１の操作モードにセットし、
−  車輪電子機器の外部から呼びかけ信号を発生させ、
−  無線で車輪電子機器へ呼びかけ信号を送信し、
−  呼びかけ信号の受信に応じて圧力または圧力変化を第１の操作モードのもとで測定して送信し、
そして、車輪電子機器が一つの呼び掛け信号を受信した後、所定の時間内にその他の呼び掛け信号を受信しない場合には、前記車輪電子機器は、それ自体第２の操作モードを採用し、このモードにおいて、圧力又は圧力変動を繰り返し計測し、しっかりと前もっとセットされるか又は可変の、第２の操作モードのために確立された送信レートで送信するものである方法。
【請求項２】
第１の操作モードにおいて、前記圧力又は圧力の変動が内部プログラムに基づいて繰り返し計測されることを特徴とする請求項１に定義の方法。
【請求項３】
第１の操作モードにおいて、呼び掛け信号に関係なく前記計測が行われることを特徴とする請求項２に定義の方法。
【請求項４】
第１と第２の操作モードには、同じ計測レートが使用されることを特徴とする前記請求項のいずれかに定義の方法。
【請求項５】
第１の制御信号が乗物のロックを解錠することで得られることを特徴とする前記請求項のいずれかに定義の方法。
【請求項６】
ラジオキイの信号又はそこから得られた信号が前記第１の制御信号となることを特徴とする請求項５に定義の方法。
【請求項７】
車輪電子機器がエンジンのスイッチを切るか又は乗物の施錠を行うことで得られる第２の制御信号により第２の操作モードに設定されることを特徴とする前記請求項のいずれかに定義の方法。
【請求項８】
電気信号が車輪の回転から得られ、前記車輪電子機器において得られた信号で第２の操作モードにおける発信レートがコントロールされることを特徴とする前記請求項のいずれかに定義の方法。
【請求項９】
第２の操作モードにおいて、乗物が最低速度に達したとき、前記車輪電子機器が時間間隔Ｔ０をおいて信号を発信し、乗物が最低速度以下になったとき、又は、乗物が走行しなくなったときには、前記車輪電子機器が時間間隔Ｔ１＞Ｔ０をおいて信号を発信することを特徴とする請求項８に定義の方法。
【請求項１０】
前記車輪の回転から得られた電気信号で前記時間間隔Ｔ０が変えられることを特徴とする請求項８又は請求項９に定義の方法。
【請求項１１】
圧力又は圧力の変動を示す信号は、前記車輪電子機器で評価され、第２の操作モードにあるとき、発信レートが圧力の変動の速度に応じて調節されることを特徴とする前記請求項のいずれかに定義の方法。
【請求項１２】
前記圧力の変動の速度が閾値を越えるとき、発信レートが頻繁になることを特徴とする請求項１１に定義の方法。
【請求項１３】
第１の操作モードにおいて、圧力が所定の閾値を越える速度で変動するとき、前記車輪電子機器は、呼び掛け信号を待たずに発信することを特徴とする請求項１１又は請求項１２に定義の方法。
【請求項１４】
前記車輪電子機器は、前記車輪電子機器の外部で発生の第３の制御信号により第３の操作モードに設定され、このモードにあっては、第１の制御信号を受けるか、又は、自動車が最低速度に達したときにあっては、第３の操作モードから再び離れ、第１又は第２の操作モードに戻ることを特徴とする請求項９と組み合わされて前記請求項のいずれかに定義の方法。
【請求項１５】
第３の操作モードにおいては、圧力及び圧力の変動のいずれをも計測しないことを特徴とする請求項１４に定義の方法。
【手続補正書】
【提出日】平成18年3月10日(2006.3.10)
【手続補正１】
【補正対象書類名】明細書
【補正対象項目名】００２３
【補正方法】変更
【補正の内容】
【００２３】
本発明の方法において、ナノ濾過は、好ましくは濃縮係数ｋ＝１〜６、より好ましくはｋ＝３〜５によって実施される。ナノ濾過で生じた濾液（ＮＦ濾液）は、主に１価の塩と尿素を含有し、その乾燥物含量は０.１〜０.３％の間である。ナノ濾過で生じたＮＦ保持液はラクトース（乾燥物の約９０％）を含有し、その乾燥物含量は、２０〜２４％の間である。適切な膜は、例えば、Ｄｅｓａｌ ５(OsmonicsInc., USA)およびＮＦ４５(Filmtec, USA)である。
【手続補正２】
【補正対象書類名】明細書
【補正対象項目名】００２７
【補正方法】変更
【補正の内容】
【００２７】
本発明の方法は、酵素的加水分解ステップを含むのが好ましく、そのステップにおいて、残存ラクトースは、ラクターゼ、すなわちβ-Ｄ-ガラクトシダーゼによってモノサッカリドに転換される。本発明の方法において使用するためのいくつかの異なった適切な酵素は購入し得る。これらは、例えば、Kluyveromyces fragilis (例えば、Ha-Lactase，Chr. Hansen A/S, Denmark)によって産生されたラクターゼまたはKluyveromyces lactis (例えば、Validase, Valley ResearchInc., USA)により産生されたラクターゼを包含する。加水分解は、１〜３６時間続くのが好ましく、５〜７０℃、好ましくは６〜１５℃の温度で行われる。しかし、市販酵素の製造業者は、自己の指示書においてそれらの酵素についての至適加水分解条件を示していることに注意すべきである。
【手続補正３】
【補正対象書類名】明細書
【補正対象項目名】００２８
【補正方法】変更
【補正の内容】
【００２８】
本発明の方法によって得られた乳製品の乾燥物量は、水の添加によって調整されうる。一方、本発明の方法も、ラクトースを含まないミルク粉末を製造するのに使用され得る、すなわち得られるミルクが乾燥される。該粉末製品は、脂肪を含まないラクトースを含まないミルク粉末の製造のために特に安定であるが、脂肪粉末もまた製造され得る。
【手続補正４】
【補正対象書類名】図面
【補正対象項目名】図１
【補正方法】変更
【補正の内容】
【図１】
2005525116.tif 000001
【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
（ａ）白血球以外の血液成分を血液サンプルからフィルターメンブレンを用いた濾過により除去し、該フィルターメンブレン上に白血球を得るステップ、
（ｂ）フィルターメンブレン上の該白血球を溶解し、ｍＲＮＡを含有する溶解物を生成させるステップ、
および
（ｃ）該ｍＲＮＡ中の特定のｍＲＮＡを定量するステップ
を含む、血液サンプル中の特定のｍＲＮＡの定量法。
【請求項２】
前記血液サンプルは全血に抗凝血剤を添加したものである、請求項１に記載の方法。
【請求項３】
前記血液サンプルは全血に低張緩衝液を添加したものである、請求項１又は２に記載の方法。
【請求項４】
前記血液サンプルは濾過前に凍結される、請求項１から３のいずれか一項に記載の方法。
【請求項５】
前記フィルターメンブレンはマルチウェルフィルタープレートに取り付けられる、請求項１から４のいずれか一項に記載の方法。
【請求項６】
前記白血球が、重ね合わせた複数のフィルターメンブレン上に捕捉される、請求項１から５のいずれか一項に記載の方法。
【請求項７】
前記工程（ａ）で得られたフィルターメンブレン上の白血球を低張緩衝液で洗浄し、赤血球および他の血液成分をさらに除去するステップをさらに含む、請求項１から６のいずれか一項に記載の方法。
【請求項８】
前記工程（ａ）で得られたフィルターメンブレン上の白血球をエタノールで洗浄し、該フィルターメンブレンが乾燥するまで真空吸引するステップをさらに含む、請求項１から
７のいずれか一項に記載の方法。
【請求項９】
前記ステップ（ｂ）で得られたｍＲＮＡを含有する溶解物をオリゴ（ｄＴ）固定化プレートに移入することにより該ｍＲＮＡを捕捉するステップをさらに含む、請求項１から８のいずれか一項に記載の方法。
【請求項１０】
前記溶解物のオリゴ（ｄＴ）固定化プレートへの移入が遠心分離、真空吸引または正圧の負荷を含む、請求項９に記載の方法。
【請求項１１】
前記特定のｍＲＮＡの定量が、前記ｍＲＮＡのｃＤＮＡ合成および得られたｃＤＮＡの増幅を含む、請求項１から１０のいずれか一項に記載の方法。
【請求項１２】
前記定量されるｍＲＮＡが、β−アクチンｍＲＮＡ、ＣＤ４  ｍＲＮＡまたは白血病に関与する転座遺伝子のｍＲＮＡである、請求項１から１１のいずれか一項に記載の方法。
【請求項１３】
微小転移癌由来の癌特異的遺伝子のｍＲＮＡが定量される、請求項１から１１のいずれか一項に記載の方法。
【請求項１４】
感染白血球由来のウイルス由来ｍＲＮＡが定量される、請求項１から１１のいずれか一項に記載の方法。
【請求項１５】
前記定量されるウイルス由来ｍＲＮＡがＨＩＶのｍＲＮＡである請求項１４に記載の方法。
【請求項１６】
前記定量されるウイルス由来のｍＲＮＡがＣＭＶのｍＲＮＡである請求項１４に記載の方法。
【請求項１７】
前記ウイルス由来ｍＲＮＡの定量が、保存血中の該ウイルスの存在についてモニターするために使用される、請求項１４に記載の方法。
【請求項１８】
前記ウイルス由来ｍＲＮＡの定量が、抗ウイルス薬の感受性を試験するために使用される、請求項１４に記載の方法。
【請求項１９】
白血病に関与するアポトーシス遺伝子のｍＲＮＡが定量される、請求項１から１１のいずれか一項に記載の方法。
【請求項２０】
サイトカインのｍＲＮＡが定量される、請求項１から１１のいずれか一項に記載の方法。
【請求項２１】
前記ｍＲＮＡの定量が、白血球に対する抗癌剤の副作用を試験するために使用される、請求項１から１１のいずれか一項に記載の方法。
【請求項２２】
ＤＮＡ修復遺伝子のｍＲＮＡが定量される、請求項１から１１のいずれか一項に記載の方法。
【請求項２３】
前記ＤＮＡ修復遺伝子のｍＲＮＡの定量が、放射線に対するＤＮＡ修復遺伝子の感受性を試験するために使用される、請求項２２に記載の方法。
【請求項２４】
アレルゲン応答遺伝子のｍＲＮＡが定量され、アレルゲン刺激を試験するために用いられる請求項１から１１のいずれか一項に記載の方法。
【請求項２５】
ドナー細胞媒介性サイトカインのｍＲＮＡが定量される、請求項１から１１のいずれか一項に記載の方法。
【請求項２６】
前記ドナー細胞媒介性サイトカインのｍＲＮＡの定量が、移植片拒絶を試験するために使用される、請求項２５に記載の方法。
【請求項２７】
（ａ）    ｉ）複数のサンプルデリバリーウェル、
ｉｉ）該ウェルの下部にある白血球捕捉フィルター、および
ｉｉｉ）該フィルターの下部にあって、その上面に固定化されたオリゴ（ｄＴ）を有するｍＲＮＡ捕捉ゾーン
を備えるマルチウェルプレート、ならびに
（ｂ）前記プレートを受容し、前記プレートとの間に密封部をつくるのに適合した真空ボックス
を備えるハイスループットｍＲＮＡ定量装置。
【請求項２８】
前記密封部が、マルチウェルプレートの下方に配置されたプラスチック系ガスケットを備える、請求項２７に記載の装置。
【請求項２９】
前記真空ボックスと前記マルチウェルプレートの間にマルチウェルサポーターが挟持される、請求項２７又は２８に記載の装置。
【請求項３０】
（ａ）請求項２７から２９のいずれか一項に記載のハイスループットｍＲＮＡ定量装置、
（ｂ）低張緩衝液、
（ｃ）エタノール、および
（ｄ）溶解緩衝液
を含むハイスループットｍＲＮＡ定量キット。
【手続補正書】
【提出日】平成18年5月1日(2006.5.1)
【手続補正１】
【補正対象書類名】特許請求の範囲
【補正対象項目名】全文
【補正方法】変更
【補正の内容】
【特許請求の範囲】
【請求項１】
でんぷんが同時の糖化及び醗酵の工程に付される乳酸又はその塩の製造のための方法であって、少なくともグルコアミラーゼを含む培地中ででんぷんを糖化すること、及び同時に微生物を使用して該でんぷんを醗酵すること、及び任意的に該培地から乳酸を分離することを含む方法において、中庸に好熱性の（ゲオ）バチルス微生物が使用されることを特徴とする方法。
【請求項２】
該でんぷんが、グルコアミラーゼと、プルラナーゼ及びα−アミラーゼの少なくとも１つとの混合物内で、糖化され、醗酵され、及び任意的に液化される、請求項１に記載の方法。
【請求項３】
乳酸又はその塩が、95%よりもよい鏡像体純度で作られる、請求項１又は２に記載の方法。
【請求項４】
前記工程が、pH 3〜8.5で実行される、請求項１〜３のいずれか一項に記載の方法。
【請求項５】
前記工程が、pH 5〜6で実行される、請求項４に記載の方法。
【請求項６】
前記工程が、pH 5.35〜5.80で実行される、請求項４に記載の方法。
【請求項７】
前記工程が、pH 5.50〜5.60で実行される、請求項４に記載の方法。
【請求項８】
前記好熱性の（ゲオ）バチルス微生物が、前記工程で使用されるようなpH範囲に適合されている、請求項４〜７のいずれか一項に記載の方法。
【請求項９】
前記工程が30〜70℃で実行される、請求項１〜８のいずれか一項に記載の方法。
【請求項１０】
前記グルコアミラーゼ、又はグルコアミラーゼと、プルラナーゼ及びα−アミラーゼの少なくとも１つとの混合物が、少なくとも２つの部分に分けて添加される、請求項１〜９のいずれか一項に記載の方法。
【請求項１１】
前記微生物が、菌株バチルス・コアギュランス（Bacillus coagulans）、バチルス・サーモアミロボランス（Bacillus thermoamylovorans）、バチルス・スミッチイ（Bacillus smithii）、ゲオバチルス・ステアロサーモフィラス（Geobacillus stearothermophilus）、又はそれらの混合物から得られる、請求項１〜１０のいずれか一項に記載の方法。
【手続補正２】
【補正対象書類名】明細書
【補正対象項目名】００１０
【補正方法】変更
【補正の内容】
【００１０】
それ故に、本発明は、でんぷんが同時の糖化及び醗酵の工程に付される乳酸又はその塩の製造のための方法であって、少なくともグルコアミラーゼを含む培地中ででんぷんを糖化すること、及び同時に微生物を使用して該でんぷんを醗酵すること、及び任意的に該培地から乳酸を分離することを含む方法において、中庸に好熱性の（ゲオ）バチルス微生物が使用されることを特徴とする方法に関する。
【発明を実施するための最良の形態】
【手続補正書】
【提出日】平成18年4月13日(2006.4.13)
【手続補正１】
【補正対象書類名】特許請求の範囲
【補正対象項目名】全文
【補正方法】変更
【補正の内容】
【特許請求の範囲】
【請求項１】
複数の環状支持部材と、
該複数の環状支持部材と交差する複数のクロス・ストラットとを有することを特徴とする管状フレーム構造を備えた形状記憶ポリマーステント。
【請求項２】
前記管状フレーム構造は、前記複数の環状支持部材と、前記複数のクロス・ストラットと、これらの環状支持部材とクロス・ストラットとの間の複数の開口とを形成している表面を備えた押出チューブから形成されていることを特徴とする請求項１記載の形状記憶ポリマーステント。
【請求項３】
前記複数のクロス・ストラットは、前記複数の環状支持部材に対して傾斜していることを特徴とする請求項１記載の形状記憶ポリマーステント。
【請求項４】
前記押出チューブは形状記憶特性を有するポリマーで形成されていることを特徴とする請求項２記載の形状記憶ポリマーステント。
【請求項５】
前記ポリマーはポリウレタンであることを特徴とする請求項４記載の形状記憶ポリマーステント。
【請求項６】
前記ポリマーは、ガラス転移温度と、該ガラス転移温度以上の温度に加熱後の拡大直径およびカテーテルまたはデリバリシステム内に嵌合される縮小直径を有する所定形状とを有することを特徴とする請求項４記載の形状記憶ポリマーステント。
【請求項７】
前記管状フレーム構造は、前記複数の環状支持部材および複数のクロス・ストラットの織成ストランドから形成されていることを特徴とする請求項１記載の形状記憶ポリマーステント。
【請求項８】
複数の環状支持部材と、
複数のクロス・ストラットとを有し、前記複数の環状支持部材は前記複数のクロス・ストラットに編み込まれて管状を形成していることを特徴とする管状フレーム構造を備えた形状記憶ポリマーステント。
【請求項９】
前記管状フレーム構造は、前記複数の環状支持部材および複数のクロス・ストラットの織成ストランドから形成されていることを特徴とする請求項８記載の形状記憶ポリマーステント。
【請求項１０】
前記複数のクロス・ストラットは長手方向に延びていることを特徴とする請求項８記載の形状記憶ポリマーステント。
【請求項１１】
前記ストランドは形状記憶特性を有するポリマーで形成されていることを特徴とする請求項９記載の形状記憶ポリマーステント。
【請求項１２】
前記ポリマーはポリウレタンであることを特徴とする請求項１１記載の形状記憶ポリマーステント。
【請求項１３】
前記ポリマーは、ガラス転移温度と、該ガラス転移温度以上の温度に加熱後の拡大直径およびカテーテルまたはデリバリシステム内に嵌合される縮小直径を有する所定形状とを有することを特徴とする請求項１１記載の形状記憶ポリマーステント。
【請求項１４】
大脳動脈瘤または腹部大動脈瘤の治療に有効な管状フレーム構造を有する血管内血流変更子において、
複数の環状支持部材と、
該複数の環状支持部材と交差する複数のクロス・ストラットとを有することを特徴とする血管内血流変更子。
【請求項１５】
前記管状フレーム構造は、前記複数の環状支持部材と、前記複数のクロス・ストラットと、これらの環状支持部材とクロス・ストラットとの間の複数の開口とを形成している表面を備えた押出チューブから形成されていることを特徴とする請求項１４記載の血管内血流変更子。
【請求項１６】
前記複数のクロス・ストラットは、前記複数の環状支持部材に対して傾斜していることを特徴とする請求項１４記載の血管内血流変更子。
【請求項１７】
前記押出チューブは形状記憶特性を有するポリマーで形成されていることを特徴とする請求項１５記載の血管内血流変更子。
【請求項１８】
前記ポリマーはポリウレタンであることを特徴とする請求項１７記載の血管内血流変更子。
【請求項１９】
前記ポリマーは、ガラス転移温度と、該ガラス転移温度以上の温度に加熱後の拡大直径およびカテーテルまたはデリバリシステム内に嵌合される縮小直径を有する所定形状とを有することを特徴とする請求項１７記載の血管内血流変更子。
【請求項２０】
前記管状フレーム構造は、前記複数の環状支持部材および複数のクロス・ストラットの織成ストランドから形成されていることを特徴とする請求項１４記載の血管内血流変更子。
【請求項２１】
複数の環状支持部材と、
複数のクロス・ストラットとを有し、前記複数の環状支持部材は前記複数のクロス・ストラットに編み込まれて管状を形成していることを特徴とする管状フレーム構造を備えた血管内血流変更子。
【請求項２２】
前記管状フレーム構造は、前記複数の環状支持部材および複数のクロス・ストラットの織成ストランドから形成されていることを特徴とする請求項２１記載の血管内血流変更子。
【請求項２３】
前記複数のクロス・ストラットは長手方向に延びていることを特徴とする請求項２１記載の血管内血流変更子。
【請求項２４】
前記ストランドは形状記憶特性を有するポリマーで形成されていることを特徴とする請求項２２記載の血管内血流変更子。
【請求項２５】
前記ポリマーはポリウレタンであることを特徴とする請求項２４記載の血管内血流変更子。
【請求項２６】
前記ポリマーは、ガラス転移温度と、該ガラス転移温度以上の温度に加熱後の拡大直径およびカテーテルまたはデリバリシステム内に嵌合される縮小直径を有する所定形状とを有することを特徴とする請求項２４記載の血管内血流変更子。
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
ユーザが選択可能な収集時間間隔を含むある期間をカバーするトレンド表示ディスプレイに患者の医療パラメータデータを提供するシステムであって、
前記システムは、収集時間間隔の間隔長を決定するユーザの入力データを受信し、おのおのが前記間隔長を持つ複数の患者パラメータ収集時間間隔のうち複数の異なる時点に対応する複数のデータ値を含むある患者のパラメータを表すデータを収集する収集プロセッサと、
前記複数の患者パラメータ収集時間間隔の略中央時点に最も近い時点の患者のパラメータデータ値を、前記間隔長を持つ前記複数の患者パラメータ収集時間間隔に対して決定し、前記複数の患者パラメータ収集時間間隔内に収集された患者の他のパラメータデータ値の排除をするデータプロセッサと、を備えたシステム。
【請求項２】
請求項１に記載のシステムにおいて、前記複数の患者パラメータ収集時間間隔に対応して前記複数の患者パラメータデータ値のトレンド表示ディスプレイを表示するイメージを表すデータを生成し、前記排除をしたデータ値を省略するジェネレータを含むシステム。
【請求項３】
請求項１に記載のシステムにおいて、前記収集プロセッサは、収集時間間隔の第２の間隔長を決定するユーザの入力データを受信し、
前記データプロセッサは、前記第２の間隔長を持つ前記複数の患者パラメータ収集時間間隔の略中央時点に最も近い時点の患者のパラメータデータ値を、前記第２の間隔長を持つ複数の患者パラメータ収集時間間隔に対して動的に決定し、前記第２の間隔長を持つ前記複数の患者パラメータ収集時間間隔内に収集された患者の他のパラメータデータ値の排除をするシステム。
【請求項４】
ユーザが選択可能な収集時間間隔を含むある期間をカバーするトレンド表示ディスプレイに患者の医療パラメータデータを提供するユーザ・インターフェース・システムであって、
前記ユーザ・インターフェース・システムは、ある時間間隔を持ちユーザが選択可能な複数の患者パラメータ収集時間間隔のうち複数の異なる時点に対する複数のデータ値を含む患者のパラメータデータを受信する収集プロセッサと、
ユーザが選択可能な特定の収集時間間隔に対してユーザが選択した前記特定の収集時間間隔の略中央時点に最も近い時点の患者のパラメータデータ値の決定をし、ユーザが選択可能な前記特定の収集時間間隔内に収集された患者の他のパラメータデータ値の排除をするデータプロセッサと、
ユーザが選択可能な前記特定の収集時間間隔における前記決定をした患者パラメータデータ値を含む前記患者パラメータを患者パラメータデータ値のトレンド表示ディスプレイを表示するイメージを表すデータを生成し、前記排除をしたデータ値の省略をするジェネレータと、を備えたユーザ・インターフェース・システム。
【請求項５】
請求項４に記載のユーザ・インターフェース・システムにおいて、前記期間及びユーザが選択可能な前記特定の収集時間間隔とは異なる前記第２の収集時間間隔を含む複数の第２の収集時間間隔のユーザの選択に応答して、前記データプロセッサは前記第２の収集時間間隔の略中央時点に最も近い時点の患者の別のパラメータデータ値を自動的に決定をし、前記第２の収集時間間隔において収集された患者の他のパラメータデータ値を排除するユーザ・インターフェース・システム。
【請求項６】
請求項４に記載のユーザ・インターフェース・システムにおいて、ユーザによるコマンドの入力及び患者のパラメータデータ値の入力に応答して、前記データプロセッサは、ユーザが入力した前記データ値を、前記特定の患者が選択可能な収集時間間隔に対する前記決定をした患者のパラメータデータ値として使用し、ユーザが選択可能な前記特定の収集時間間隔において収集された患者のその他のデータ値の排除し、
前記データプロセッサは、ユーザが選択可能な前記特定の収集時間間隔において収集され、別の非ユーザが入力した患者のパラメータデータ値の排除をし、
前記非ユーザによる患者のパラメータデータ値は、ユーザが選択した前記特定の収集間隔の略中央時点により近いものであるユーザ・インターフェース・システム。
【請求項７】
請求項４に記載のユーザ・インターフェース・システムにおいて、前記患者のパラメータは少なくとも（ａ）血圧パラメータ、（ｂ）人工呼吸器パラメータ、（ｃ）生命兆候パラメータ、（ｄ）血中酸素濃度を表すパラメータ、（ｅ）点滴に伴う輸液ポンプ・パラメータを含み、
前記データプロセッサは、収集時間間隔のうち前記中央時点の前後どちらかの側の略半分の収集時間間隔において収集された患者パラメータを分析することによって、ユーザが選択した前記特定の収集時間間隔の中央時点に最も近い時点の前記患者のパラメータデータ値の決定をするユーザ・インターフェース・システム。
【請求項８】
請求項４に記載のユーザ・インターフェース・システムにおいて、前記イメージを表示するトレンド表示ディスプレイ上でのユーザによるカーソルの位置取りに応答して、少なくとも（ａ）測定及び（ｂ）収集した前記患者のパラメータポイントが表示されるユーザ・インターフェース・システム。
【請求項９】
請求項４に記載のユーザ・インターフェース・システムにおいて、前記収集プロセッサは、患者モニター装置から前記複数のデータ値を含む患者のパラメータを表す前記データを収集するユーザ・インターフェース・システム。
【誤訳訂正書】
【提出日】平成17年6月8日(2005.6.8)
【誤訳訂正１】
【訂正対象書類名】特許請求の範囲
【訂正対象項目名】全文
【訂正方法】変更
【訂正の内容】
【特許請求の範囲】
【請求項１】
好ましくは皮膚といったような表面の特性を測定するためのセンサアセンブリであって、
電流供給源に対して接続されていて、皮膚に対して電流を供給し得るものとされた、第１対をなす電流供給用電極と；
これら電流供給用電極に対して所定距離のところに配置された少なくとも１つの第１電圧検出用電極と；
この少なくとも１つの第１電圧検出用電極に対して接続されていて、この少なくとも１つの第１電圧検出用電極と、前記電流供給用の中の少なくとも１つと、の間の電圧を測定し得るものとされた、器具と；
を具備してなることを特徴とするセンサアセンブリ。
【請求項２】
請求項１記載のセンサアセンブリにおいて、
供給される電流が、選択された周波数範囲で振動するものとされていることを特徴とするセンサアセンブリ。
【請求項３】
請求項２記載のセンサアセンブリにおいて、
前記周波数が、１０〜１０００ｋＨｚとされ、好ましくは１００ｋＨｚとされていることを特徴とするセンサアセンブリ。
【請求項４】
請求項１記載のセンサアセンブリにおいて、
前記第１電極が、前記電流供給用第１電極から所定距離のところに配置され、
この所定距離が、前記電流供給用電極どうしの間の距離よりも短いものとされていることを特徴とするセンサアセンブリ。
【請求項５】
請求項４記載のセンサアセンブリにおいて、
前記所定距離が、１ｍｍよりも短いものとされていることを特徴とするセンサアセンブリ。
【請求項６】
好ましくは皮膚といったような表面の特性を測定するためのセンサアセンブリであって、
電流供給源に対して接続されていて、皮膚に対して電流を供給し得るものとされた、第１対をなす電流供給用電極と；
これら電流供給用電極に対して所定距離のところに配置された少なくとも２つの電圧検出用電極と；
これら電圧検出用電極のうちの少なくとも電圧検出用第１電極に対して接続されていて、その電圧検出用第１電極と、電圧検出用電極の少なくとも１つまたは前記電流供給用電極と、の間の電圧を測定し得るものとされた、器具と；
を具備してなることを特徴とするセンサアセンブリ。
【請求項７】
請求項６記載のセンサアセンブリにおいて、
供給される電流が、選択された周波数範囲で振動するものとされていることを特徴とするセンサアセンブリ。
【請求項８】
請求項７記載のセンサアセンブリにおいて、
前記周波数が、１０〜１０００ｋＨｚとされ、好ましくは１００ｋＨｚとされていることを特徴とするセンサアセンブリ。
【請求項９】
請求項６記載のセンサアセンブリにおいて、
前記電圧検出用電極が、前記電流供給用電極の各々から互いに異なる所定距離のところに配置されていることを特徴とするセンサアセンブリ。
【請求項１０】
請求項９記載のセンサアセンブリにおいて、
前記所定距離が、１ｍｍよりも短いものとされていることを特徴とするセンサアセンブリ。
【請求項１１】
請求項６記載のセンサアセンブリにおいて、
前記電圧検出用電極の接触面が、角質層の厚さと同等の大きさのものとされていることを特徴とするセンサアセンブリ。
【請求項１２】
皮膚のうちの外側に位置した２つの部分に関しての、すなわち、角質層と生体皮膚とに関しての、電気的性質を測定するための方法であって、
−２つの電流供給用電極の間において皮膚に対して電流または電圧を印加し；
−これら２つの電流供給用電極のうちの一方と、この一方の電流供給用電極に対して所定距離のところに配置された第１電極と、の間において、電圧を測定し；
−前記電圧検出用第１電極と、前記電流供給用第１電極を起点として測ったときに前記第１電極よりも遠くに配置された第２電極と、の間において、電圧を測定し；
−前記２つの電圧検出用電極のところにおいて測定された測定電圧値どうしを比較することによって、少なくとも一方の皮膚層に関する誘電率および／または抵抗率を決定する；
ことを特徴とする方法。
【請求項１３】
皮膚表面の角質層に関しての電気的性質を測定するための方法であって、
−２つの電流供給用電極の間において皮膚に対して電流または電圧を印加し；
−これら２つの電流供給用電極のうちの一方と、この一方の電流供給用電極に対して所定距離のところに配置された第１電極と、の間において、電圧を測定し、この場合、前記所定距離を、角質層の厚さと同等のものとし、これにより、角質層に関する誘電率および／または抵抗率を得る；
ことを特徴とする方法。
【手続補正書】
【提出日】平成18年2月17日(2006.2.17)
【手続補正１】
【補正対象書類名】明細書
【補正対象項目名】００２１
【補正方法】変更
【補正の内容】
【００２１】
本発明の適用範囲を制限することなく且つ平易にするために、以下の記載は、タレット２上の単一の第一滑動支持部８と、ドラム４上の単一の第二滑動支持部９とに言及する。さらに、カプセル充填機１は、通常、各第一滑動支持部８上のブッシュ１５内に一組のカプセル本体３と、ドラム４上の各支持部９上の対応する一組の円筒状の穴部５とを有するが、平易にするために、単一のカプセル本体３と単一の円筒状の穴部５とに言及する。
【手続補正書】
【提出日】平成17年10月14日(2005.10.14)
【手続補正１】
【補正対象書類名】明細書
【補正対象項目名】００６８
【補正方法】変更
【補正の内容】
【００６８】
したがって、一つの態様において、本発明は、その少なくとも一つのペプチド配列、好ましくはその一つが以下の配列Ｇｌｙ Ｇｌｙ Ｇｌｙ Ｇｌｙ Ｓｅｒ（配列番号５）を４回もしくはそれ以上繰り返すものである、特有のｓｃ−ＴＣＲ分子を特徴とする。
【手続補正２】
【補正対象書類名】明細書
【補正対象項目名】０１２２
【補正方法】変更
【補正の内容】
【０１２２】
α及びβ鎖断片は、ＤＮＡ配列決定のために、ｐＧＥＭ−Ｔ ＥＡＳＹベクターシステム（Promega）へクローニングされた。正しい断片が制限酵素で切断され、発現ベクターｐＫＣ６０（係属中の米国特許出願第０８／８１３７８１号にすでに記載されている）へクローニングされ、二つのＶα―（Ｇ４Ｓ）４ （配列番号２３）Ｖβ Ｃβ ｓｃ−ＴＣＲ分子である、（Ｖα３を伴う）２６４−Ａ、（Ｖα１３を伴う）２６４−Ｂを産生した。
【手続補正３】
【補正対象書類名】明細書
【補正対象項目名】０１２７
【補正方法】変更
【補正の内容】
【０１２７】
端的には、α及びβ鎖ＴＣＲ断片は、ｐＫＣ６０発現ベクターへクローニングされ、Ｖα―（Ｇ４Ｓ）４ （配列番号２３）Ｖβ Ｃβｓｃ−ＴＣＲ分子を製造した。新しいベクターはｐＮＡＧ２（図１）と名づけられた。ｐＮＡＧ２はそれからＫＣ２０３とＫＣ２０８プライマーを用いてＰＣＲにより再増幅され、５‘ＡｇｅＩ−３’ＨｐａＩ／ＢｓｐＥＩ／ＮｒｕＩ／ＣｌａＩ ＤＮＡ断片を産生した。ｓｃ−ＴＣＲ断片は、ｐＧＥＭ−Ｔ ＥＡＳＹベクターシステムへクローニングされ、この新しいｐＧＥＭに基づくベクターは、それから二重特異性あるいは融合ｓｃ分子を製造するために、他のＤＮＡ断片を導入するためのシャトルベクターとして使用された。
【手続補正４】
【補正対象書類名】明細書
【補正対象項目名】０１２９
【補正方法】変更
【補正の内容】
【０１２９】
以上概説した「シャトルベクター」デザインにおいて、終止コドンとスプライシング部位は、ＫＣ２０８「バック」プライマーを用いたｓｃ−ＴＣＲのＰＣＲ増幅の部分として、ＮｒｕＩ及びＣｌａＩ制限酵素部位の間に挿入された。二重特異性であるｓｃ蛋白質の下流での精製を補助するために、アニールされたオリゴヌクレオチド（ＫＣ２３７とＫＣ２３８）のセットが、終止コドンとスプライシング部位とともに３‘ＥＥタグ（ＥＥＥＥＹＭＰＭＥ）（配列番号６）を導入するようにデザインされた。アニールされたオリゴヌクレオチドペアは、完全な二重特異性ｓｃ−ＴＣＲ分子をすでにコードする「シャトルベクター」の５’ＮｒｕＩ−３‘ＣｌａＩ領域へクローニングされた。
【手続補正５】
【補正対象書類名】明細書
【補正対象項目名】０１４２
【補正方法】変更
【補正の内容】
【０１４２】
【図１】図１はｐＮＡＧ２ベクターの模式的な説明である。
【図２】図２は（ＡＴＣＣ＃２０９２７６として寄託された）ｐＳＵＮ２７ベクターを示す図である。
【図３】図３は（ｐＳＵＮ２８の指定でＡＴＣＣ＃２０３１８６として寄託された）好ましい二重特異性融合分子である、ｐＢＩＳＰ／Ｄ０１１．１０及びｐＢＩＳＰ／１４９をコードするベクターの領域を示す図である。
【図４】図４Ａ（配列番号２１のヌクレオチド１−４８９、配列番号２の１−１６３アミノ酸残基）、図４Ｂ（配列番号２１のヌクレオチド４９０−１０８９、配列番号２の１６４−３６３アミノ酸残基）及び図４Ｃ（配列番号２１のヌクレオチド１０９０−１１３１、配列番号２の３６４−３７７アミノ酸残基）は、２６４一本鎖ＴＣＲ（２６４ ｓｃ−ＴＣＲ）（配列番号２）のアミノ酸及び核酸配列を示す図である。Ｖａ３＝ＴＣＲ Vα３鎖ドメイン（アミノ酸６１−３９９）、リンカー配列（アミノ酸４００−４７１）、Ｖｂ３＝ＴＣＲ Vβ３ドメイン（アミノ酸４７２−８１３）、Ｃｂ＝ＴＣＲ Ｃβドメイン（アミノ酸４７２−８１３）である。
【図５】図５は配列番号２２でコードされる２６４ＴＣＲの任意のＣαドメイン（配列番号３）を示す図である。